(57)【特許請求の範囲】
【請求項１】
容器本体の口部に装着したディスペンサーの押圧ヘッドを上下動させることにより、容器本体内の内容液を外部に噴出するディスペンサー付き容器と、
ディスペンサー付き容器を上下に変位可能に保持するベース部材と、
踏み込み用のペダルが設けられた一端部と、前記ディスペンサー付き容器の下方に位置する他端部との間にて前記ベース部材に揺動可能に軸支され、前記ペダルの踏み込み時に前記他端部により前記ディスペンサー付き容器を上方に押し上げ、変位させる作動部材と、
前記ベース部材に固定され、前記ペダルの踏み込みによる前記ディスペンサー付き容器の上方への変位と協働して前記押圧ヘッドを押し込んで前記内容液を噴出させるハウジング部材と、を備え、
前記ベース部材に、前記作動部材をペダル踏み込み前の初期姿勢となるよう付勢する一方、ペダル踏み込み時に弾性変形して前記作動部材の揺動を許容するベンド板を一体に形成してなることを特徴とする足踏み式液体噴出装置。
【請求項２】
前記作動部材に、前記ベンド板からの付勢力を受けるとともに前記ペダル踏み込み時にベンド板からの付勢力をもって弾性変形する当接板を設けてなる、請求項１に記載の足踏み式液体噴出装置。
【請求項３】
前記ベンド板を上方に向けて凸となるよう屈曲させてなる、請求項１または２に記載の足踏み式液体噴出装置。
【発明の詳細な説明】
【技術分野】
【０００１】
本発明は、足踏み式の液体噴出装置に関し、とくには、吐出機構として、ポンプ式のディスペンサーを用いた足踏み式液体噴出装置を提供しようとするものである。
【背景技術】
【０００２】
従来、足踏み式の液体噴出装置としては、特許文献１に記載されるようなエアゾール式の容器が主流である。しかしながら、エアゾール式の容器は、内部に可燃性の液化石油ガスやジメチルエーテル等の噴射剤が含まれる場合があり、容器内にガスが残ったまま廃棄した場合、ごみ集積車や廃棄物処理施設で火災・爆発事故の原因となるおそれがある。このような事故を防ぐために、エアゾール式の容器を廃棄する場合には、内部の残留ガスを排出してから廃棄する必要があり、廃棄作業が面倒である。また、エアゾール式の容器は、容器内に充填されたガスの圧力を利用して内容液を噴射するものであるので、噴射ボタンを押している間は内容液が出続けてしまい、噴射量のコントロールが困難であり、また、エアゾール式の容器では、内容液噴射の際に起こり得るステムの押し込み不足等に起因して適正な噴出が行われず、内溶液に対して噴射剤の量を多く噴出してしまうことがあり、こうなると充填されたガスの圧力が不足して容器内に内容液が残ったまま使用できなくなる（残量が増大する）という不具合を生じる。
【０００３】
このようなことから、吐出機構として、エアゾールに代えてポンプ式（蓄圧式）のディスペンサーを用いた足踏み式の液体噴出装置に対する要望がある。ポンプ式のディスペンサーであれば、エアゾール式の液体噴出装置のような加圧用の噴射剤を必要とせず、容器の廃棄処分に際して爆発等の危険がないため容器を穿孔する等の余計な手間がかからず、その上、ガスの圧力が不足して内容液を吐出できなくなるという不具合がないことから内容液が噴出されずに容器内に残る残量を減らすことができ、また、ポンプ式のディスペンサーは押圧ヘッドをワンプッシュして内容液を噴出できるため定量吐出が可能である。
【先行技術文献】
【特許文献】
【０００４】
【特許文献１】特開２００２−１４３７３３号公報
【発明の概要】
【発明が解決しようとする課題】
【０００５】
ところで、ポンプ式のディスペンサーを足踏み式の液体噴出装置に適用するにあたっては、該ディスペンサーを作動させるための機構として、梃子式の作動部材を足で踏み込んで揺動させることにより押圧ヘッドを押し込むものが挙げられるが、このような液体噴出装置にあっては、ディスペンサー付きの容器を装置にセットしていない状態では作動部材が自由に揺動してしまい移送中等における破損の原因になるとともに、容器を装置にセットするに際して作動部材が干渉する場合があり容器を装置にセットし難いという不具合がある。また、踏み込み後の作動部材の揺動姿勢を元に戻す付勢力を、押圧ヘッドの押し込みを元に戻すディスペンサーのばね部材の復元力で補わなければならないため、踏み込み後に作動部材が元の姿勢に復帰するのに時間がかかり、引き続いて内容液を噴出させたい場合にその要求に迅速に対応することができないという問題もある。
【０００６】
この点に関しては、ディスペンサー付き容器を足踏み式の液体噴出装置にセットしていない状態（未使用状態）にて、押圧ヘッドを押し込むための作動部材を固定しておくための固定部材を別途設けて作動部材の自由な揺動を制限したり、作動部材を元の姿勢に復帰するためのばね部材をディスペンサーのばね部材とは別に設けて作動部材の揺動姿勢からの復帰を素早く行い得るようしたりすることも考えられるが、いずれにせよ部品点数の増加による製造コストの増大は避けられないものとなる。
【０００７】
それゆえ、本発明は、足踏み式の液体噴出装置の吐出機構としてポンプ式のディスペンサーを用いたものにつき、部品点数の増加を伴うことなく、移送中の作動部材の揺動に起因した破損を防止することができるとともに装置への容器のセットを容易に行うことができ、かつ引き続く内容液の吐出に対する要求にも迅速に対応可能な足踏み式液体噴出装置を提供することをその目的とする。
【課題を解決するための手段】
【０００８】
本発明は上記課題を解決するためになされたものであり、本発明の足踏み式液体噴出装置は、容器本体の口部に装着したディスペンサーの押圧ヘッドを上下動させることにより、容器本体内の内容液を外部に噴出するディスペンサー付き容器と、ディスペンサー付き容器を上下に変位可能に保持するベース部材と、踏み込み用のペダルが設けられた一端部と、前記ディスペンサー付き容器の下方に位置する他端部との間にて前記ベース部材に揺動可能に軸支され、前記ペダルの踏み込み時に前記他端部により前記ディスペンサー付き容器を上方に押し上げ、変位させる作動部材と、前記ベース部材に固定され、前記ペダルの踏み込みによる前記ディスペンサー付き容器の上方への変位と協働して前記押圧ヘッドを押し込んで前記内容液を噴出させるハウジング部材と、を備え、前記ベース部材に、前記作動部材をペダル踏み込み前の初期姿勢となるよう付勢する一方、ペダル踏み込み時に弾性変形して前記作動部材の揺動を許容するベンド板を一体に形成してなることを特徴とするものである。
【０００９】
なお、本発明の足踏み式液体噴出装置にあっては、前記作動部材に、前記ベンド板からの付勢力を受けるとともに前記ペダル踏み込み時にベンド板からの付勢力をもって弾性変形する当接板を設けてなることが好ましい。
【００１０】
さらに、本発明の足踏み式液体噴出装置にあっては、前記ベンド板を上方に向けて凸となるよう屈曲させてなることが好ましい。
【発明の効果】
【００１１】
本発明の足踏み式液体噴出装置にあっては、ディスペンサー付き容器をベース部材にセットする前の状態では、作動部材は、ベース部材に一体に形成されたベンド板によって略水平姿勢に付勢されているため、移送中等に足踏み式液体噴出装置が揺らされたり傾けられたりしても作動部材が揺動して破損することはない。また、ディスペンサー付き容器をベース部材にセットする際にも、作動部材はベンド板に付勢されてペダル踏み込み前の初期姿勢に維持されているため、作動部材がディスペンサー付き容器に干渉することがなく、ディスペンサー付き容器のセットをスムーズに行うことができる。実際にディスペンサー付き容器内の内容液を吐出するにあたっては、使用者が、ベース部材に揺動可能に支持された、足で踏むことのできるペダルを踏み込むと、作動部材がベンド板の付勢力に抗して揺動し、その作動部材の揺動と連動してディスペンサー付き容器が上方に押し上げられハウジング部材によって押圧ヘッドが下方に押し込まれるので、容器本体内の内容液が加圧、圧縮されて押圧ヘッドの噴出口より噴出する。このようにして内容液の吐出が行われた後に使用者がペダルの踏み込みを解放すると、作動部材はベンド板の付勢力により元の初期姿勢に戻されるので押圧ヘッドを元に位置に復帰させるばね部材の付勢力のみで作動部材を初期姿勢に戻す場合に比べて短時間に作動部材を初期姿勢に戻すことができ、引き続いて内容液の吐出の要求があった場合でもそれに迅速に対応することが可能である。
【００１２】
したがって、本発明の足踏み式液体噴出装置によれば、部品点数の増加を伴うことなく、移送中の作動部材の揺動に起因した破損を防止することができるとともに装置への容器のセットを容易に行うことができ、かつ引き続く内容液の吐出に対する要求にも迅速に対応することができる。
【図面の簡単な説明】
【００１３】
【図１】本発明にしたがう実施の形態の足踏み式液体噴出装置の断面図である。
【図２】図１の足踏み式液体噴出装置のディスペンサー付き容器の断面図である。
【図３】図１の足踏み式液体噴出装置のベース部材を示す斜視図である。
【図４】図１の足踏み式液体噴出装置のベース部材を示す断面斜視図である。
【図５】図１の足踏み式液体噴出装置の作動部材を示す断面斜視図である。
【図６】（ａ）は、作動部材が組みつけられたベース部材の平面図であり、（ｂ）はそのＡ−Ａ線に沿った断面図である。
【図７】図１の足踏み式液体噴出装置を、ディスペンサー付き容器をベース部材の保持部にセットする前の状態で示す断面図である。
【図８】図１の足踏み式液体噴出装置において、押圧ヘッドがストロークエンドに到達するまでペダルを踏み込んだ状態を示す断面図である。
【図９】図１の足踏み式液体噴出装置において、押圧ヘッドがストロークエンドに到達した後さらにペダルを踏み込んだ状態を示す断面図である。
【発明を実施するための形態】
【００１４】
以下、図面を参照して本発明の実施の形態を詳細に説明する。
【００１５】
この実施形態の足踏み式液体噴出装置１は、床等の載置面Ｇの上に置かれ使用者が足で操作することで容器内の内容液を噴出するものであり、図１に示すように、ディスペンサー付き容器３と、ベース部材５と、ハウジング部材７と、一端部に使用者が足で踏むことができるペダル９を有し、他端部がディスペンサー付き容器３の真下に位置する梃子式の作動部材１１とを備えてなる。なお、以下、足踏み式液体噴出装置１において、ペダル９が設けられた側を「正面側」または「前方側」（図１において右側）とし、この逆側を「背面側」または「後方側」（図１において左側）として説明する。
【００１６】
ディスペンサー付き容器３は、図２に示すように、容器本体１３の口部１３ａに装着したディスペンサー１５の押圧ヘッド１７を上下動させることにより、容器本体１３内の内容液を外部に噴出するものである。容器本体１３は、上記口部１３ａの下端に肩部１３ｂを介してつながる胴部１３ｃと、この胴部１３ｃの下端を閉塞させる底部１３ｄとを有するものであり、ここでは胴部１３ｃの横断面形状は円形としているがこれに限定されず四角形または他の多角形としてもよい。この場合、ディスペンサー付き容器３の全高を変えることなく内容量を変えることが可能となり、ディスペンサー付き容器３以外の部材を共通に使用することができる。
【００１７】
ディスペンサー１５は、図２に示すように、周壁１９ａおよび天面壁１９ｂからなり該周壁１９ａにて容器本体１３の口部１３ａ外側でねじ止めされるベースキャップ１９と、このベースキャップ１９の下面と上記口部１３ａの突端との間に吊り下げ保持される、シリンダ、ピストンおよび該ピストンを元の位置に復元させるばね部材等からなる通常のポンプ機構２１と、ポンプ機構２１の下端につながる吸い込みパイプ２３と、上下動することにより該ポンプ機構２１を作動させて容器本体１３内の内容液を吸引、加圧、圧縮して外部へ噴出させる上述の押圧ヘッド１７とから構成される。押圧ヘッド１７は、噴射口１７ａを囲む位置にて垂下し上記ポンプ機構２１の上端部に装着される内筒１７ｂと、該内筒１７ｂの周りを取り囲む外筒１７ｃとを有し、外筒１７ｃにはその径を僅かに拡大させる段差ｍが形成されている。外筒１７ｃにおいて段差ｍよりも上側部分を小径部１７ｃ１とし段差ｍよりも下側部分を大径部１７ｃ２とする。また、符号２４は、ベースキャップ１９に装着され、使用時に取り外すことができるオーバーキャップである。
【００１８】
ベース部材５は、ディスペンサー付き容器３を上下に摺動可能に保持するとともに作動部材１１を揺動可能に支持するものであって、図３および図４に示すように、載置面Ｇ（図１参照）に沿って水平に延びるベース板２６と、ベース板２６の背面側にて立設されたベース筒２８と、ベース筒２８の内側でベース板２６と平行に延びる支持板３０と、ベース筒２８の上端部に連設された外周壁３２と、外周壁３２の内側にて支持板３０に立設された内周壁３４とを備えている。内周壁３４と支持板３０の、内周壁３４に囲まれた部分は、ディスペンサー付き容器３を上下に摺動可能に保持する保持部３６を構成する。また、支持板３０には作動部材１１の他端部を挿通させるための開口ｈ１が形成されるとともに該開口ｈ１の近傍位置に作動部材１１の後述する軸部を受ける一対の軸受３８が設けられている。
【００１９】
そして、ベース部材５には、開口ｈ１に対応する位置にて支持板３０から垂下する垂壁４０の下端に底板４２が連設されており、この底板４２には作動部材１１をペダル踏み込み前の初期姿勢となるよう付勢する一方、ペダル踏み込み時に弾性変形して作動部材１１の揺動を許容する、上方に向けて凸となるよう屈曲したベンド板４４が一体に延設されている。底板４２の、ベンド板４４の基部に対応する位置にはベンド板４４を弾性変形し易くする一対の切り込みｓ１が形成されている。この例では、ベンド板４４は、底板４２から立ち上がって前方側に傾斜して延びる第１傾斜部分４４ａと該第１傾斜部分４４ａの先端から水平に延びる水平部分４４ｂと該水平部分４４ｂの先端から下方に向けて傾斜して延びる第２傾斜部分４４ｃとで構成されるがこれに限定されない。なお、図３および図４において、符号ｈ２は作動部材１１をベース部材５に組み付ける際に作動部材１１の他端部を通すためにベース筒２８に形成された、支持板３０の開口ｈ１に通じる切欠きである。
【００２０】
ハウジング部材７は、ペダル９の踏み込みによるディスペンサー付き容器３の上方への変位と協働して押圧ヘッド１７を押し込んで容器本体１３内の内容液を噴出させるものであり、図１に示すように、ディスペンサー付き容器３の周囲を取り囲み下端部がベース部材５の外周壁３２に外側からねじ嵌合して保持される胴体部４８と、該胴体部４８の上端に連設されて中央に押圧ヘッド１７を突出させる開口ｈ３を形成する頂壁部５０とからなる。該開口ｈ３の縁部は、ディスペンサー付き容器３を上方に変位させた際に押圧ヘッド１７の外筒１７ｃに形成された段差ｍに当接する押込み部５０ａを構成する。なお、各部材３，５，７，１１の製造上の寸法誤差を考慮して、ハウジング部材７の高さは、作動部材１１を作動させない状態（初期状態）において押込み部５０ａと押圧ヘッド１７の段差ｍとの間に所定の隙間Ａが生じる高さとしておくことがよい。また、この例では、ハウジング部材７は、ねじによりベース部材５に固定すると説明したが、ハウジング部材７は、ベース部材５の外周壁３２にアンダーカット嵌合により固定するようにしてもよい。さらに、ハウジング部材７の形状は、押圧ヘッド１７を押し込むことができればとくに限定はなく、例えば、材料削減やデザイン性等の目的で胴体部４８に一以上の開口部またはスリットを設けてもよい（図示省略）。また、ハウジング部材７は、透明または半透明の樹脂で形成することが好ましく、このようにすれば容器本体１３内の内容物の残量を外部から容易に把握することが可能となる。
【００２１】
作動部材１１は、使用者によるペダル９の踏み込みによりディスペンサー付き容器３を上方に変位させ（押し上げ）、ハウジング部材７の押込み部５０ａに押圧ヘッド１７を押し込ませて容器本体１３内の内容液を噴出させるものであり、図５および図６に示すように、一端部に設けられた上記ペダル９と、該ペダル９から後方に延びるチャンネル形状（断面Ｃ字形状）の本体部５２と、本体部５２の側面にそれぞれ設けられ、ベース部材５の一対の軸受３８にそれぞれ支持される一対の軸部５４とを有してなる。また、作動部材１１の本体部５２の内側には、ベース部材５の底板４２から延出するベンド板４４の先端が当接するよう作動部材１１の延在方向に直交する向きで配置され、該ベンド板４４からの付勢力をもって弾性変形可能な当接板５６が下方に向けて設けられている。さらに、ペダル９の上面には図示のように、滑り止め用の凸部９ａを設けてもよい。
【００２２】
作動部材１１の他端部（本体部５２の後方側の端部）には、Ｕ字状のスリットｓ２によりベンド片５８が一体に区画形成されており、該ベンド片５８は、押圧ヘッド１７にその押込み限度を超える押込み力が加わった際にそれ自体の弾性揺動によりその押込み力を解放するよう構成されている。具体的には、ベンド片５８のばね定数は、押圧ヘッド１７を元の位置に復帰させるばね部材（ポンプ機構に組み込まれた上記ばね部材）のばね定数よりも大きく設定されており、このため、ベンド片５８は、押圧ヘッド１７がそのストロークエンドに達するまでの間はポンプ機構のばね部材が優先的に変形するため弾性揺動せず、押圧ヘッド１７がストロークエンドに達した後に弾性揺動して押圧ヘッド１７に加わる過剰な押圧力を吸収、解放する。図中の符号５８ａは、ベンド片５８の上面に設けられ容器本体１３の底部１３ｄに向けて突出する突起であり、該突起５８ａは容器本体１３の底部１３ｄと当接する部分が曲面をなす形状に形成されている。この例では、突起５８ａを２つ設けているが、このような突起５８ａは一つのみ設けてもよい。
【００２３】
なお、作動部材１１が水平状態（図６（ａ），（ｂ）に示す状態）からベース板２６（ベース板２６を設けない場合には載置面Ｇ）に当接するまで（図９に示す状態）の揺動変位量は、ハウジング部材７の押込み部５０ａと押圧ヘッド１７の段差ｍとの間に形成されるようにした上記隙間Ａと押圧ヘッド１７のストローク（ポンプ機構２１のピストンのストローク）との和である必要押上げ量よりも大きく設定しておくことが好ましく、これによれば、押圧ヘッド１７がストロークエンド（押込み限度）に達した時点においても作動部材１１に所定の踏み込み代（図８に示す隙間Ｂ）を残しておくことができる。
【００２４】
次いで、上記形態をとる足踏み式液体噴出装置１の作用について説明する。図７は、ディスペンサー付き容器３をベース部材５の保持部３６内にセットする前の状態を示しており、この状態では、作動部材１１は、ベース部材５の底板４２に一体に形成されたベンド板４４によって略水平姿勢に付勢されているため、移送中等に足踏み式液体噴出装置１が揺らされたり傾けられたりしても作動部材１１が揺動して破損することはない。また、ディスペンサー付き容器３をベース部材５の保持部３６内にセットする際にも、作動部材１１はベンド板４４に付勢されて略水平姿勢に維持されているため、作動部材１１とくには作動部材１１の他端部がディスペンサー付き容器３に干渉することがなく、ディスペンサー付き容器３のセットをスムーズに行うことができる。実際にディスペンサー付き容器３内の内容液を吐出するにあたっては、ディスペンサー付き容器３のオーバッキャップ２４を外し、ディスペンサー付き容器３をベース部材５の保持部３６内にセットし、ハウジング部材７をベース部材５に装着した状態から、使用者が、ベース部材５に揺動可能に支持された、足で踏むことのできるペダル９を踏み込むと、図８に示すように、作動部材１１がベンド板４４の付勢力に抗して揺動し、その作動部材１１の揺動と連動してディスペンサー付き容器３が上方に押し上げられハウジング部材７の押込み部５０ａによって押圧ヘッド１７が下方に押し込まれるので、容器本体１３内の内容液が加圧、圧縮されて押圧ヘッド１７の噴出口１７ａより例えば霧状の形態で噴出する。このようにして内容液の吐出が行われた後に使用者がペダル９の踏み込みを解放すると、押圧ヘッド１７はポンプ機構２１のばね部材の付勢力をもっても元の位置へ戻され、揺動姿勢にある作動部材１１はベンド板４４の付勢力をもって元の水平姿勢（図１の状態）に戻されるので、ポンプ機構２１のばね部材の付勢力のみで作動部材１１を水平姿勢に戻す場合に比べて短時間に作動部材１１を水平姿勢に戻すことができ、引き続いて内容液の吐出の要求があった場合でもそれに迅速に対応することが可能である。
【００２５】
このように、本実施形態の足踏み式液体噴出装置１は、部品点数の増加を伴うことなく、移送中の作動部材の揺動に起因した破損を防止することができるとともに装置への容器のセットを容易に行うことができ、かつ引き続く内容液の吐出に対する要求にも迅速に対応することができる。
【００２６】
また、本実施形態の足踏み式液体噴出装置１によれば、作動部材１１にベース部材５のベンド板４４からの付勢力を受けるとともにペダル踏み込み時に該付勢力をもって弾性変形する当接板５６を設けたことから、ペダル９の踏み込み時にベンド板４４および当接板５６の双方をベンド変形させて、作動部材１１の踏み込み感をより滑らかなものとすることができる。
【００２７】
さらに、本実施形態の足踏み式液体噴出装置１では、図８に示す、押圧ヘッド１７がストロークエンドに達した時点では作動部材１１には所定の踏み込み代（隙間Ｂ）が残っており、この状態から使用者がさらにペダル９を踏み込んで押圧ヘッド１７にその押込み限度を超える押込み力が加わる場合には、図９に示すように作動部材１１の他端部に設けられたベンド片５８がそれ自体の弾性揺動によりその押込み力を解放するので、押圧ヘッド１７に過剰な押圧力が加わることがなく、ディスペンサー１５の破損を回避することができる。
【００２８】
さらに、本実施形態の足踏み式液体噴出装置１によれば、押圧ヘッド１７がその押込み限度に到達した時点においても作動部材１１に踏み込み代（隙間Ｂ）が残るよう構成したことから、各部材３，５，７，１１に製造上の寸法誤差が生じた場合でも確実に押圧ヘッド１７をストロークエンドまで押し込むことができ、より安定した定量吐出を実現することができる。
【００２９】
さらに、本実施形態の足踏み式液体噴出装置１によれば、ペダル９が踏み込まれていない初期状態において、ハウジング部材７の押込み部５０ａと、押圧ヘッド１７の、押込み部５０ａが当たる部分（段差ｍ）との間に所定の隙間Ａが形成されるよう構成したことから、各部材３，５，７，１１に製造上の寸法誤差が生じた場合でも該隙間Ａの存在により寸法誤差を吸収して安定した定量吐出を実現することができる。
【００３０】
しかも、本実施形態の足踏み式液体噴出装置１によれば、作動部材１１の他端部に形成されたベンド片５８に、容器本体１３の底部１３ｄと当接する部分が曲面をなす突起５８ａを設けたことから、作動部材１１によりディスペンサー付き容器３を押し上げる際に突起５８ａの曲面（外面）が容器本体１３の底部１３ｄの表面を円滑に摺動し、スムーズな踏み込み感を実現することができる。
【産業上の利用可能性】
【００３１】
本発明により、足踏み式の液体噴出装置の吐出機構としてポンプ式のディスペンサーを用いたものにつき、部品点数の増加を伴うことなく、移送中の作動部材の揺動に起因した破損を防止することができるとともに装置への容器のセットを容易に行うことができ、かつ引き続く内容液の吐出に対する要求にも迅速に対応可能な足踏み式液体噴出装置を提供することが可能となった。
【符号の説明】
【００３２】
１  足踏み式液体噴出装置
３  ディスペンサー付き容器
５  ベース部材
７  ハウジング部材
９  ペダル
１１  作動部材
１３  容器本体
１７  押圧ヘッド
２１  ポンプ機構
２３  吸い上げパイプ
３６  保持部
４４  ベンド板
５０ａ  押込み部
５８  ベンド片
５８ａ  突起
【図１】
0005620337.tif 000002
【図２】
0005620337.tif 000003
【図３】
0005620337.tif 000004
【図４】
0005620337.tif 000005
【図５】
0005620337.tif 000006
【図６】
0005620337.tif 000007
【図７】
0005620337.tif 000008
【図８】
0005620337.tif 000009
【図９】
0005620337.tif 000010